(57)【要約】      （修正有）【課題】天井面または壁面に設置されたスプリンクラーヘッドの取付け穴を塞ぐと共に、スプリンクラーヘッドを覆い隠すスプリンクラーヘッドカバーが設置されていてもスプリンクラーヘッドからの微少な漏れを発見可能なスプリンクラーヘッドカバーおよびスプリンクラーヘッドを提供する。【解決手段】スプリンクラーヘッドカバーのカバープレート２の底部または中央付近に孔８を穿設する。あるいはスプリンクラーヘッド６の感熱分解部分を覆っているカバーに穴を穿設する。【選択図】図１
0003129431.tif 000002
【実用新案登録請求の範囲】
【請求項１】
天井面または壁面に設置されたスプリンクラーヘッドの外周面に設置されるハウジングを有しており、該ハウジングはスプリンクラーヘッドを覆い隠すカバープレートと低融点合金によって接合されているスプリンクラーヘッドカバーにおいて、カバープレートの底部または中央付近に孔が穿設されていることを特徴とするスプリンクラーヘッドカバー。
【請求項２】
天井面または壁面に設置されたスプリンクラーヘッドを覆い隠すスプリンクラーヘッドカバーであり、スプリンクラーヘッドを覆い隠すカバープレートと低融点合金によって接合される支持材が、配管または天井面に設置されているスプリンクラーヘッドカバーにおいて、カバープレートの底部または中央付近に孔が穿設されていることを特徴とするスプリンクラーヘッドカバー。
【請求項３】
前記カバープレートにおいて、曲面形状を有するカバープレートの底部または中央付近に孔が穿設されていることを特徴とする請求項１、２記載のスプリンクラーヘッドカバー。
【請求項４】
カバープレートは前記ハウジングと低融点合金によって接合されており、ハウジングの周面には孔が穿設されていることを特徴とする請求項１記載のスプリンクラーヘッドカバー。
【請求項５】
カバープレートとハウジングまたは支持材の間にマウントが介在しており、マウントとカバープレートが低融点合金で接合されていることを特徴とする請求項１、２記載のスプリンクラーヘッドカバー。
【請求項６】
カバープレートにはスプリンクラーヘッド側に凹んだ窪みが形成され、該窪みの一面に穴が穿設されていることを特徴とする請求項１、２記載のスプリンクラーヘッドカバー。
【請求項７】
カバープレートにはスプリンクラーヘッド側に凹んだ窪みが形成され、該窪みの一面に穴が穿設されており、該窪みの他面はハウジングまたは支持材との接合面となっていることを特徴とする請求項１、２記載のスプリンクラーヘッドカバー。
【請求項８】
カバープレートは全体または一部がパンチングメタル状に形成されていることを特徴とする請求項１、２記載のスプリンクラーヘッドカバー。
【請求項９】
カバープレートの裏面には溝が刻設しており、該溝を通って外部に排水可能な穴が穿設されていることを特徴とする請求項１、２記載のスプリンクラーヘッドカバー。
【請求項１０】
天井面または壁面に設置されており、火災の熱を感知して感熱分解部分が作動して給水配管と接続されたノズルが開放されるスプリンクラーヘッドであり、前記感熱分解部分を覆うカバーにおいて、該カバーに孔が穿設されていることを特徴とするスプリンクラーヘッド。
【請求項１１】
前記カバーの底面にはノズル側に凹んだ窪みが形成され、該窪みの一面に穴が穿設されていることを特徴とする請求項１０記載のスプリンクラーヘッド。
【請求項１２】
前記カバーの全体または一部がパンチングメタル状に形成されていることを特徴とする請求項１０記載のスプリンクラーヘッド。
【請求項１３】
前記カバーにおいて、裏面には溝が刻設されており、該溝を通って外部に排水可能な穴が穿設されていることを特徴とする請求項１０記載のスプリンクラーヘッド。
【考案の詳細な説明】
【技術分野】
【０００１】
本考案は、天井面または壁面に設置されたスプリンクラーヘッドの取付け穴を塞ぐと共に、スプリンクラーヘッドを覆い隠すスプリンクラーヘッド用カバーと、スプリンクラーヘッドに関するものである。
【背景技術】
【０００２】
スプリンクラーヘッドは火災の熱を感知して作動し、消火水を放出して消火を行うものである。スプリンクラーヘッドは主に天井面に設置されることから、天井から突出して設置されたスプリンクラーヘッドが室内の美観を損ねる可能性があり、該スプリンクラーヘッドを覆い隠すスプリンクラーヘッドカバーが発明されている。
【０００３】
スプリンクラーヘッドカバーは、低融点合金によって接合されており、火災の熱によって低融点合金が溶融することでスプリンクラーヘッドカバーが落下し、スプリンクラーヘッドが露出されて火災を感知・作動して消火水が室内に散布される。
【０００４】
従来のスプリンクラーヘッド用カバーとして、例えば特許文献1に記載されたスプリンクラーヘッドカバーがあり、これを図７に示す。スプリンクラーヘッドカバーは、スプリンクラヘッド１５５に固定された例えば樹脂製のアダプタ１０３、開口１５３の下方に設置されて開口１５３を塞ぐカバー体１１０、カバー体１１０に取り付けられてカバー体１１０をアダプタ１０３に保持させる固定金具１１５、アダプタ１０３とカバー体１１０との間に設置されてカバー体１１０を下方に付勢する弦巻バネ１１７から構成されている。
【０００５】
【特許文献１】特開平１１−１５５９７６号公報
【特許文献２】実公平７−３７６３８号公報
【考案の開示】
【考案が解決しようとする課題】
【０００６】
スプリンクラーヘッドは、施工後に配管内を充水させた状態で耐圧検査を実施してスプリンクラーヘッドからの漏れのないことを確認するのであるが、特許文献１に記載されているスプリンクラーヘッドカバーはカバー体と天井面の隙間が少なく、またカバー体の縁部分が立ち上げられた形状となっており、万が一にスプリンクラーヘッドから漏れが発生していた場合にもカバー体内部に水が充填され溢れ出してこないと漏れが発生していることに気が付かない。
【０００７】
特許文献２に記載されているカバー体（蓋部材３）は、側面に開口が設けられており、スプリンクラーヘッドから漏れが発生すれば水が開口から溢れ出すので、漏れの確認が可能であるが、数分に１滴程度の微少な漏れが発生していた場合、開口から水が溢れ出す前に水が蒸発してしまうおそれがあり、スプリンクラーヘッドの漏れに気付かない可能性がある。
【０００８】
スプリンクラーヘッドからの微少な漏れに気付かないままに長期間が経過すると、漏れ部分から錆が発生してスプリンクラーヘッドの性能に障害を及ぼす可能性がある。
【０００９】
そこで本考案では、上記問題に鑑み、スプリンクラーヘッドカバーが設置されていてもスプリンクラーヘッドからの微少な漏れを発見可能なスプリンクラーヘッドカバーを提供するとともに、スプリンクラーヘッドカバーが設置されていないスプリンクラーヘッドについても微少な漏れを発見可能なスプリンクラーヘッドの提供を目的としている。
【課題を解決するための手段】
【００１０】
上記の目的を達成するために、請求項１記載の考案は、天井面または壁面に設置されたスプリンクラーヘッドの外周面に設置されるハウジングを有しており、該ハウジングはスプリンクラーヘッドを覆い隠すカバープレートと低融点合金によって接合されているスプリンクラーヘッドカバーにおいて、カバープレートの底部または中央付近に孔が穿設されているスプリンクラーヘッドカバーである。
【００１１】
請求項２記載の考案は、天井面または壁面に設置されたスプリンクラーヘッドを覆い隠すスプリンクラーヘッドカバーであり、スプリンクラーヘッドを覆い隠すカバープレートと低融点合金によって接合される支持材が、配管または天井面に設置されているスプリンクラーヘッドカバーにおいて、カバープレートの底部または中央付近に孔が穿設されているスプリンクラーヘッドカバーである。
【００１２】
請求項３記載の考案は、前記カバープレートにおいて、曲面形状を有するカバープレートの底部または中央付近に孔が穿設されている請求項１、２記載のスプリンクラーヘッドカバーである。
【００１３】
請求項４記載の考案は、カバープレートは前記ハウジングと低融点合金によって接合されており、ハウジングの周面には孔が穿設されている請求項１記載のスプリンクラーヘッドカバーである。
【００１４】
請求項５記載の考案は、カバープレートとハウジングまたは支持材の間にマウントが介在しており、マウントとカバープレートが低融点合金で接合されている請求項１、２記載のスプリンクラーヘッドカバーである。
【００１５】
請求項６記載の考案は、カバープレートにはスプリンクラーヘッド側に凹んだ窪みが形成され、該窪みの一面に穴が穿設されている請求項１、２記載のスプリンクラーヘッドカバーである。
【００１６】
請求項７記載の考案は、カバープレートにはスプリンクラーヘッド側に凹んだ窪みが形成され、該窪みの一面に穴が穿設されており、該窪みの他面はハウジングまたは支持材との接合面となっている請求項１、２記載のスプリンクラーヘッドカバーである。
【００１７】
請求項８記載の考案は、カバープレートは全体または一部がパンチングメタル状に形成されている請求項１、２記載のスプリンクラーヘッドカバーである。
【００１８】
請求項９記載の考案は、カバープレートの裏面には溝が刻設しており、該溝を通って外部に排水可能な穴が穿設されている請求項１、２記載のスプリンクラーヘッドカバーである。
【００１９】
請求項１０記載の発明は、天井面または壁面に設置されており、火災の熱を感知して感熱分解部分が作動して給水配管と接続されたノズルが開放されるスプリンクラーヘッドであり、前記感熱分解部分を覆うカバーにおいて、該カバーに孔が穿設されているスプリンクラーヘッドである。
【００２０】
請求項１１記載の発明は、前記カバーの底面にはノズル側に凹んだ窪みが形成され、該窪みの一面に穴が穿設されている請求項１０記載のスプリンクラーヘッドである。
【００２１】
請求項１２記載の発明は、前記カバーの全体または一部がパンチングメタル状に形成されている請求項１０記載のスプリンクラーヘッドである。
【００２２】
請求項１３記載の発明は、前記カバーにおいて、裏面には溝が刻設されており、該溝を通って外部に排水可能な穴が穿設されている請求項１０記載のスプリンクラーヘッドである。
【考案の効果】
【００２３】
カバープレートに穴を穿設したことにより、スプリンクラーヘッドに漏れが発生した際に該穴から水が流れ出ることで異常であることが早期の段階で発見できる。
【００２４】
さらに、火災の際にはカバープレートに穿設された穴から熱気流が流入して内部のスプリンクラーヘッドの作動を促す効果がある。また、ハウジングの周面に孔を穿設するとカバープレート内に流入した熱気流が該孔より外部に抜け出て、気流の流れが生じることにより熱気流をカバープレート内に流入させてスプリンクラーヘッドの作動を促す効果がある。
【００２５】
上記効果は、スプリンクラーヘッドカバーを有していないスプリンクラーヘッドにも適用することが可能である。つまり、感熱分解部分を覆っているカバーに対して上記のカバープレートと同様な構成を用いることができる。
【考案を実施するための最良の形態】
【００２６】
カバープレートはスプリンクラーヘッドの外周部に係止されるハウジングか天井面に固定設置された支持材と、低融点合金によって接合される。カバープレートは中心を底部とした曲面形状であることが好ましく、該底部に穴を穿設する。穴を目立たないように穿設するために中央に凹んだ窪みを形成し、該窪みの立上がり部に穴を穿設してもよい。さらに窪みの一面を水平に形成し、該水平面をハウジングとの接合面として用いることも可能である。
【００２７】
曲面形状のカバープレートとハウジングを接続する場合に、カバープレートの曲面に接触可能な斜面を有するハウジングを介して接続することも可能である。
【００２８】
また、カバープレートの全部または一部をパンチングメタル状に形成したり、カバープレート内の水を穴位置まで誘導可能な溝を形成してもよい。
【００２９】
さらに壁面に設置されるタイプのスプリンクラーヘッドに設置する場合には、カバープレートの穴位置を底部に穿設することが好ましい。
【００３０】
上記形態をスプリンクラーヘッドの感熱分解部分を覆っているカバーに適用することも可能である。
【実施例１】
【００３１】
以下、この考案の実施例１を図１を参照して説明する。図１はスプリンクラーヘッドを装着したスプリンクラーヘッドカバーの断面図である。
【００３２】
実施例１のスプリンクラーヘッドカバーは、ハウジング１とカバープレート２から構成される。
【００３３】
ハウジング１は円筒形状をしており円筒部分には複数の孔が穿設されており、下部には鍔部３が形成されている。鍔部３からはカバープレート２と接続する為の脚４が複数本下方に延出されており、脚４の先端５はカバープレート２の内面に接触されるように折り曲げられている。
【００３４】
ハウジング１の円筒部分は、スプリンクラーヘッド６の外周と取外し可能に嵌め入れられ、ハウジング１の設置高さを調節可能な構造となっている。
【００３５】
カバープレート２は、曲面形状をしており、ハウジング１の脚４とは低融点合金７によって接合される。低融点合金７の溶融温度はスプリンクラーヘッド６の作動温度より低いものを用いるのが好ましい。また、カバープレート２は熱伝導性の良好な金属材料によって形成すると、火災時にカバープレート２が吸収した熱によって低融点合金７の溶融を促すことができる。
【００３６】
カバープレート２の中心には穴８が穿設されている。スプリンクラーヘッド６から漏れが発生した場合に、カバープレート２内にスプリンクラーヘッド６から漏れ出した水が穴８から外部に流出させ、漏れが発生していることを気付かせることができる。
【実施例２】
【００３７】
続いて実施例２のスプリンクラーヘッドカバーについて図２、３を参照して説明する。図２はスプリンクラーヘッドを装着した実施例２のスプリンクラーヘッドカバーの断面図、図３は図２のカバープレートの平面図である。
【００３８】
実施例２のスプリンクラーヘッドカバーは、カバープレートの穴が、ハウジング１の脚４の位置に設置され、さらに穴が設けられる位置をスプリンクラーヘッド側に凹ませて窪みを形成し、該窪みの一面に穴を穿設したものである。
【００３９】
ハウジングの構造については、実施例１と略同様であるので同符号を付して説明は省略する。カバープレート１２は曲面形状をしておりハウジング１の脚４とは低融点合金７によって接合される。カバープレート１２の脚４との接続部は、スプリンクラーヘッド側に略台形状に凹ませた窪み１２Ａが形成されており、水平部１３が形成されている。水平部１３を設けたことで脚４の先端は水平に屈曲され、水平面同士の接合となり低融点合金７による接合作業が容易となる。
【００４０】
略台形状の窪み１２Ａにはカバープレート１２の中心側の立上り部に横穴１４が穿設されており、スプリンクラーヘッド６から漏れ出した水を外部に排出可能としている。また、横穴１４を設けたことによって火災の熱気流がカバープレート１２内に入り込みやすくなり、低融点合金７の溶融およびスプリンクラーへッド６の作動を促進する効果がある。
【００４１】
図３において、横穴１４はカバープレート１２の中心に向かって穿設されているが、他の立上り部である１４Ａの位置に横穴を設けることも可能である。
【００４２】
その他の実施形態として、図４に示すようにハウジングに相当する支持材２０をビス等によって天井面に固定設置することも可能である。また、カバープレートに穿設される穴の数や位置、形状等を変更して用いることも可能である。
【実施例３】
【００４３】
実施例３は前述のスプリンクラーヘッドカバーの構成を、スプリンクラーヘッドの感熱分解部分を覆っているカバーに適用したものである。実施例３について図５、６を参照して説明する。図５は実施例３のスプリンクラーヘッドの断面図、図６はカバーの平面図である。
【００４４】
図５に示すスプリンクラーヘッドの構成は、図１で説明したスプリンクラーヘッドと同様の構造であり、本体３１、フレーム３２、弁体３３、デフレクター３４、感熱分解部分３５等から構成されている。
【００４５】
本体３１は、中央にノズル３７が穿設されており、その下端は弁座３８となっていて、外周上部は牡ネジ３９が螺設され、下端にはフランジ４０が形成されている。
【００４６】
フレーム３２は、円筒状であり、上端は前述本体３１のフランジ４０に螺合している。下端には内周側に段部４２が形成されている。
【００４７】
弁体３３は、上部にパッキン４３が被着されており、平時、本体３１の弁座３８を閉塞している。
【００４８】
デフレクター３４は前述弁体３３の下部に固定設置されている。デフレクター３４は、皿状で周囲に多数の羽根が形成されており、羽根の上にはリング４４が載置されていて、複数のピン４５を介してリング４４と接続されている。
【００４９】
デフレクター３４はピン４５に沿って摺動可能であり、平時においてデフレクター３４はフレーム３２内に収容され、リング４４に近接した位置にある。スプリンクラーヘッド作動時、デフレクター３４はピン４５に沿って落下し、フレーム３２の段部４２に係止されたリング４４で吊設されるようになっている。
【００５０】
感熱分解部分３５は、フレーム３２の段部４２に係止されており、ガイドポスト４６を介して弁体３３を保持している。感熱分解部分３５の詳細な構造については、既に公知であり特開平７−２８４５４５号公報に記載されていることから説明は省略する。
【００５１】
感熱分解部分３５は椀状のカバー４７によって覆われている。感熱分解部分３５の下端に設置されたシリンダー４８の先端４８Ａがカバー４７の中央孔より突出され、該シリンダー４８の先端４８Ａには薄板の円盤を層状に設けたヒートコレクター４９が接続される。
【００５２】
カバー４７の形状は図６（ａ）に示すように底面と側面の間の斜面部分４７ａに複数の穴４９ａを穿設してもよいし、同図（ｂ）のように斜面部分４７ａに穿設された穴４９ｂが底面部分４７ｂに及んでもよい。また同図（ｃ）に示すように底面部分４７ｂのみに穴４９ｃを設けることも可能であり、実施例２と同様にノズル側へ凹ませた窪み５０を形成して、該窪み５０の一面に穴４９ｃを穿設して該穴４９ｃより排水がなされるようにすることも可能である。さらに図示はしないが、カバー４７の内側に溝を設けて該溝により排水穴へ水が流れ出るように構成することも可能である。
【００５３】
上記カバー形状については、複数の構造を組み合わせて使用することも可能である。
【図面の簡単な説明】
【００５４】
【図１】スプリンクラーヘッドを装着した実施例１のスプリンクラーヘッドカバーの断面図
【図２】スプリンクラーヘッドを装着した実施例２のスプリンクラーヘッドカバーの断面図
【図３】図２のカバープレートの平面図
【図４】その他の実施形態の断面図
【図５】実施例３のスプリンクラーヘッド
【図６】図５のスプリンクラーヘッドのカバーの平面図
【図７】従来のスプリンクラーヘッドカバーの断面図
【符号の説明】
【００５５】
１  ハウジング  
２  カバープレート  
３  鍔部  
４  脚  
５  脚の先端  
６  スプリンクラーヘッド  
７  低融点合金  
８  穴  
【図１】
0003129431.tif 000003
【図２】
0003129431.tif 000004
【図３】
0003129431.tif 000005
【図４】
0003129431.tif 000006
【図５】
0003129431.tif 000007
【図６】
0003129431.tif 000008
【図７】
0003129431.tif 000009